(57)【要約】      （修正有）【課題】珪藻土や漆喰などからなる塗装材を塗装する場合、緩めの粘度で調整した塗装材を使用しても塗装作業時に頻繁に床に落とすこと無く、初心者にも簡単に塗装作業できる鏝板を提供する。【解決手段】鏝板となる平坦部材１と、該平坦部材の上面に立設させた把持部材２とで構成し、該平坦部材の底面に植毛を施した植毛部３を形成する。また、前記平坦部材の底面に植毛した繊維の長さを０．３ｍｍ〜０．９ｍｍとして形成する。さらに、鏝板底面の植毛部の外側には、繊維の無い無毛部を設ける。【選択図】図２
0003162201.tif 000002
【実用新案登録請求の範囲】
【請求項１】
塗材を塗装する平坦部材と、該平坦部材の上面に立設させた把持部材から成り、該平坦部材の底面に植毛を施した植毛部を形成したことを特徴とする鏝板。
【請求項２】
前記平坦部材の底面に植毛した繊維の長さが０．３ｍｍ〜０．９ｍｍであることを特徴とする請求項１に記載の鏝板。
【請求項３】
前記平坦部材の底面を、植毛を施した植毛部と、植毛を施さず繊維の存在しない無毛部とから形成することを特徴とする請求項１又は請求項２のいずれか１項に記載の鏝板。
【請求項４】
前記平坦部材の底面は内側に植毛を施した植毛部を形成するとともに、該底面の外側部分に植毛の存在しない無毛部を形成することを特徴とする請求項１乃至請求項３のいずれか１項に記載の鏝板。
【請求項５】
前記平坦部材の底面に植毛した繊維の長さが０．５ｍｍであることを特徴とする請求項１乃至請求項４のいずれか１項に記載の鏝板。
【請求項６】
前記平坦部材の底面に形成した植毛部は、前記平坦部材の底面に接着剤を塗布して接着性を付加し、接着性を付加した底面にパイルを吹き付けることによって植毛部を形成したことを特徴とする請求項１乃至請求項５のいずれか１項に記載の鏝板。
【考案の詳細な説明】
【技術分野】
【０００１】  本考案は、左官作業等に用いられる鏝板に係る考案であり、詳細には、漆喰や珪藻土などの塗材を壁塗りに際して熟練者以外が使用する場合の利便性を考慮した鏝板に関する。
【背景技術】
【０００２】  従来より、珪藻士や漆喰などからなる塗材による壁面などの塗装作業においては、硬めの粘度に調整した珪藻土や漆喰などからなる塗材を平坦な鏝板を用いて塗装されてきた。【０００３】  この場合、硬めの粘度で調整した珪藻土や漆喰などからなる塗材を塗装する作業は力加減が難しく熟練を要するものであって、作業に不慣れな初心者や未熟な作業者にとっては粘度が高いため塗りつけ作業に過大な力を要して、作業を困難にしていた。このため、作業に不慣れな初心者や末熟な作業者は緩めの粘度で調整した珪藻土や漆喰を使用して塗装作業を行っている。【０００４】  ところが、緩めの粘度で調整した珪藻土や漆喰などの塗材を使用する場合、例えば、実用新案登録第３０８９６２７号公報のような底面が平坦に形成された鏝板により塗装作業を行うと、流動性が高いために塗材を鏝の底面に良好に保持できる期間が少なく、作業中に塗材を頻繁に床に落としてしまうという問題を有していた。（特許文献１参照）
【特許文献１】実用新案登録第３０８９６２７号公報
【考案の解決すべき課題】
【０００５】  そこで、本考案は、珪藻土や漆喰などの塗材を使用して熟練者でなくても塗装作業に支障をきたすことなく、簡単に塗装を行うことの可能な鏝板を提供することを目的としている。
【課題を解決するための手段】
【０００６】  本考案は、上記の課題を解決するために、鏝板を、塗材を塗装する平坦部材と、該平坦部材の上面に立設させた把持部材とで構成し、該平坦部材の底面に植毛を施した植毛部を形成したものである。
【０００７】  上記構成によれば、緩めの粘度で調整した珪藻土や漆喰などの塗材は植毛部の繊維に適度に付着して、床に垂れることなく簡単に仕上作業を行うことを可能とする。尚、前記平坦部材の底面に形成した植毛部は、前記平坦部材の底面に接着剤を塗布して接着性を付加し、接着性を付加した底面にパイルを吹き付けることによって植毛部を形成することが可能である。
【０００８】  また、本考案の他の構成では、前記平坦部材の底面に植毛した繊維の長さが０．３ｍｍ〜０．９ｍｍである。このような長さの繊維を備えることによって、緩めの粘度で調整した珪藻土や漆喰などの塗材を適切に保持して、垂れることなく、均し表面に影響しないような好適な塗装を可能とする。尚、繊維の長さは０．３ｍｍ〜０．９ｍｍであれば緩めの粘度で調整した珪藻土や漆喰などの塗材を保持することが可能ではあるが、繊維の長さは０．５ｍｍである場合に、塗装作業に最も適した状態で塗材を保持すること可能である。
【０００９】  また、緩めの粘度で調整した珪藻土や漆喰などの塗材を実用上問題無い程度に保持できれば良く、本考案の他の構成では、前記平坦部材の底面には、植毛を施した植毛部と、植毛を施さず繊維の存在しない無毛部を形成しても良い。
【００１０】  尚、前記平坦部材の底面の内側に植毛を施した植毛部を形成するとともに、底面の外側部分に植毛を施さず繊維の存在しない無毛部を形成することが可能である。このような構成によれば、塗装作業に際しては、底面の内側に形成した植毛部の繊維が緩めの粘度の珪藻土や漆喰などの塗材を良好に保持させ、均し作業に際しては、底面の外側に形成した植毛を施さず繊維の存在しない無毛部を使用して美しい仕上げを可能とする。
【考案を実施するための形態】
【００１１】  以下、本考案の鏝板の実施の形態を添付する図面により説明する。図１は、本考案の鏝板の第１実施例の外観図であり、図２は、本考案の鏝板の第１実施例の側面図であり、図３は、本考案の鏝板の第１実施例の平面図であり、図４は、本考案の鏝板の第１実施例の底面図であり、図５は本考案の鏝板の第２実施例の底面図であり、図６は本考案の鏝板の第３実施例の底面図であり、図７は本考案の鏝板の第４実施例の底面図である。
【００１２】  図１乃至図４に示す実施例１の鏝板は、鏝板となる略長矩形状の平坦な部材１の上面中央に円柱状の把持部材２を設けたものであり、該平坦部材１の底面に植毛を施した植毛部３を形成したことを特徴としている。
【００１３】  上記の各部材は、何れの材質でも構わないが、例えば、塗材を塗装する平坦部材１は、樹脂板等の適度な柔軟性のある材質で形成し、把持部材２を木等の作業者の手に対してフィット感があり、且つ危険性の少ない材質で形成することが望ましい。また、前記植毛部３は、前記平坦部材１の底面に接着剤を塗布して接着性を付与した後にパイルを吹き付けることにより形成することが可能である。
【００１４】  本考案の鏝板を用いて、珪藻土や漆喰などを緩めの粘度に調整した塗材を壁面などの被塗材へ塗装する際には、鏝板の底面の植毛部３により緩めの粘度の塗材も適度に保持することができ、塗装作業中に塗材が床に垂れるようなことも無く、作業に不慣れな初心者や未熟な作業者にも容易に美しく塗装を施すことが出来る。
【００１５】  また、本実施例において前記植毛部３の繊維の長さは０．５ｍｍであり、このようなサイズの繊維を植毛することによって、珪藻土や漆喰を緩い粘度で調整した塗材は鏝板の底面に保持されるので、床へ垂れずに、塗り具合も良く、塗装作業を好適に行うことが可能である。尚、本実施例では植毛部３の繊維の長さを０．５ｍｍとしているが、繊維の長さは０．３ｍｍ〜０．９ｍｍであれば緩めの粘度で調整した珪藻土や漆喰などの塗材を保持することが可能である。
【００１６】  また、図示の如く、本考案に係わる鏝板の平坦部材１の先端へは、上方向にやや反り上げた略Ｖ字状の先端部材１１が延設されており、これにより、珪藻土や漆喰等の塗材に対してスコップの如く使用して、塗面に過剰に供給された塗材を移動したり、逆に補充したりすることが、この鏝板のみで行うことができる。
【００１７】  実施例の各図に図示の如く、本考案に係わる鏝板は、その把持部材２の底部を略Ｔ字状の取付部材４の上端を挿設させて固定し、この取付部材４の底面を鏝板を構成する平坦部材１に対して溶接や接着剤等を使用して固定させることができるので、少ない部品点数で且つ簡単に製造することが可能である。
【００１８】  図５に示す第２の実施例は、珪藻土や漆喰などを緩い粘度で調整した塗材を壁面などの被塗材へ塗装した後の、表面の均し作業にも適した形状を示すものであり、平坦部材１の底面に植毛部２３と該植毛部２３の外側に植毛が施されていない無毛部２５を形成した鏝板の一例を示している。作業者は該無毛部２５を利用して、良好な均し作業を行うことが可能である。つまり、本考案の第２の実施例においては、鏝板の底面に植毛部２３とその外側に植毛の施されていない無毛部２５を設けた構成とするため、一つの鏝板のみで珪藻土や漆喰などを緩い粘度で調整した塗材の塗装だけで無く、均し作業をも容易且つ良好に行うことが可能である。
【００１９】  図６に示す第３の実施例は、前記平坦部材１の底面には植毛を施した植毛部３３と、前記植毛部３３の内側に部分的に繊維の存在しない無毛部３５を形成した鏝板の一例を示している。植毛部３３は緩めの粘度で調整した珪藻土や漆喰などの塗材を実用上問題ない程度に保持できるだけの量で形成されていれば良く、本実施例のように植毛部３３の内側に繊維の存在しない無毛部３５を略矩形状に複数形成しても良い。
【００２０】  図７に示す第４の実施例は、平坦部材１の底面に植毛部４３と、植毛が施されていない無毛部４５を植毛部４３の外側と内側にそれぞれに外側無毛部４５１と内側無毛部４５２として形成した鏝板の一例を示している。前記植毛部４３の外側に形成した外側無毛部４５１を設けることにより、本実施例の構成では塗装作業だけで無く、均し作業にも使用可能である。また、植毛部４３は緩めの粘度で調整した珪藻土や漆喰などの塗材を実用上問題ない程度に保持できるだけの量で形成されていれば良いので、本実施例のように植毛部４３の内側に繊維の存在しない内側無毛部４５２を島状に形成しても良い。
【考案の効果】
【００２１】  本考案は、前述の如く構成したものであり、珪藻土や漆喰などを緩い粘度で調整した塗材を塗装するに際しても、底面に設けた植毛を施すことにより塗材を好適に保持して、塗装中の垂れを抑止するので、作業に不慣れな初心者や未熟な作業者にも容易に美しく塗装を施すことが可能である。
【図面の簡単な説明】
【００２２】
【図１】本考案の鏝板の第１実施例を示す外観図である。
【図２】本考案の鏝板の第１実施例を示す側面図である。
【図３】本考案の鏝板の第１実施例を示す平面図である。
【図４】本考案の鏝板の第１実施例を示す底面図である。
【図５】本考案の鏝板の第２実施例を示す底面図である。
【図６】本考案の鏝板の第３実施例を示す底面図である。
【図７】本考案の鏝板の第４実施例を示す底面図である。
【符号の説明】
【００２３】１      平坦部材
１１    先端部材
２      把持部材
３      植毛部
４      取付部材
２３    植毛部
２５    無毛部
３３    植毛部
３５    無毛部
４３    植毛部
４５    無毛部
４５１  外側無毛部
４５２  内側無毛部
【図１】
0003162201.tif 000003
【図２】
0003162201.tif 000004
【図３】
0003162201.tif 000005
【図４】
0003162201.tif 000006
【図５】
0003162201.tif 000007
【図６】
0003162201.tif 000008
【図７】
0003162201.tif 000009